(57)【要約】【課題】弾球遊技機に衝撃を与えて遊技球の動きを変化させようとする不正行為を無効にでき、不正行為を未然に防ぐ弾球遊技機を提供すること。【解決手段】  遊技盤２１上に発射された遊技球が、入賞装置３に設けられたＶ入賞口（特定入球口）３５へ入球すると遊技者にとって有利な特別遊技へ移行する弾球遊技機において、上記Ｖ入賞口３５へ至る遊技球の動きに影響を及ぼす入賞装置３と、該入賞装置３が組付けられ、入賞装置３を支持する遊技盤２１とを防振部材４ａを用いて結合せしめた。【選択図】        図５
2006000378.tif 000002
【特許請求の範囲】
【請求項１】
遊技盤上に発射された遊技球が、入賞装置に設けられた特定入球口へ入球すると遊技者にとって有利な特別遊技へ移行する弾球遊技機において、
遊技機を構成する部品類のうち、上記特定入球口へ至る遊技球の動きに影響を及ぼす所定の構成部品と、該構成部品を支持せしめる支持部材とを、防振部材を用いて結合せしめたことを特徴とする弾球遊技機。
【請求項２】
請求項１に記載の弾球遊技機において、
上記入賞装置は上記遊技盤の盤面に設置され、上記構成部品たる上記入賞装置と、上記支持部材たる上記遊技盤とを上記防振部材を用いて結合するようになした弾球遊技機。
【請求項３】
請求項１に記載の弾球遊技機において、
上記入賞装置は外周を囲むケース部材に、上記特定入球口と、該特定入球口へ遊技球を導く振分け部材とを備えた内部機構が設置され、上記構成部品たる上記内部機構と、上記支持部材たる上記ケース部材とを上記防振部材を用いて結合するようになした弾球遊技機。
【請求項４】
請求項１に記載の弾球遊技機において、
上記入賞装置の上記遊技盤は遊技機枠部材に組付けられ、上記構成部品たる上記遊技盤と、上記支持部材たる上記遊技機枠部材とを上記防振部材を用いて結合するようになした弾球遊技機。
【発明の詳細な説明】
【技術分野】
【０００１】
本発明は弾球遊技機、特に遊技者が遊技機を叩いて遊技球の動きを変えようとする不正行為を行っても遊技球の動きが影響されず、上記不正行為を未然に防ぐことができる弾球遊技機に関する。
【背景技術】
【０００２】
弾球遊技機には、遊技盤上に、作動口と、該作動口へ遊技球が入球すると開閉する羽型の役物を有する入賞装置とを備え、上記役物の開放時のみ遊技球を上記入賞装置内へ入球可能とし、かつ入賞装置内において遊技球が特定入球口（Ｖ入賞口）に入球すると、大当りとなって上記役物を一定期間連続的に開閉して遊技者にとって極めて有利な特別遊技に移行するようにしたものがある。またこの種の弾球遊技機では、上記入賞装置の内部に、上記Ｖ入賞口の他に一般入賞口が設けられ、かつ、入賞装置へ入球した遊技球を上記Ｖ入賞口または一般入賞口へ振り分けつつ誘導する内部機構が設置され、遊技球の動きに変化を与えて遊技者の期待感やスリル感を高めることがなされている。
【０００３】
一般に弾球遊技機においては、上記入賞装置は遊技盤にねじ部材で締結固定され、遊技盤は遊技機の前面を構成する前面枠に形成された遊技盤取付枠部に締結固定され、更に前面枠が外枠にヒンジ結合されている。ところで、主に遊技球の動きが特別遊技への移行に直接関連してくる弾球遊技機では、遊技者が遊技機を叩くなどの衝撃を加えることにより遊技球の動きを変化させることができ、遊技者の中には故意に衝撃を与えて不正に大当りを当てようとするものがいる。この様な悪質な遊技者は少ないが、つい遊技に熱中するあまり、大当りの可能性が高いときに思わず遊技機を叩いてしまう遊技者が大半である。
【０００４】
この不正行為の衝撃により、遊技機が故障したり破損したりするおそれがあり、更に、周辺の遊技機も衝撃の影響を受けるので、他の遊技者の迷惑となり、遊技者間のトラブルの原因となる。このため遊技場側では不正行為を厳しく取り締まるようにしているが、全ての不正行為を防ぐことは困難である。また不正行為に限らず、遊技場のスタッフが周辺の他の遊技機の前面枠のガラス枠を開閉して球づまり等の保守作業をしたときに、ガラス枠を開閉する衝撃の影響を受けて遊技球の動きが変化するといった不具合が生じていた。
【０００５】
そこで従来の弾球遊技機には、下記特許文献１に記載されたように、入賞装置（役物）の内部に、遊技球をＶ入賞口へ誘導する案内通路が設けられ、不正行為が行われると、案内通路から遊技球が落下して大当りにならないようにして不正行為を止めさせるようにしたものや、下記特許文献２に記載されたように、遊技機の前面枠とこれを支持する外枠との間に衝撃吸収部材が装着され、ガラス枠の開閉時の衝撃や、不正行為による衝撃が周辺の遊技機に影響しないようにしたものが提案されている。
【特許文献１】特開２００３−８８６６６号公報
【特許文献１】特開２００２−１６６００６号公報
【発明の開示】
【発明が解決しようとする課題】
【０００６】
しかしながら、特許文献１に記載された弾球遊技機では、不正行為では大当りが成り立たないことを知っている遊技者はよいが、知らない遊技者の不正行為を防ぐことができず、不正行為の衝撃による遊技機の故障や破損、遊技機周辺で起きた衝撃による遊技への影響を無くすことは困難である。また特許文献２に記載された弾球遊技機では、前面枠側に遊技盤が組付けられた構造の遊技機においては、不正行為による大当りを防ぐことが困難である。
【０００７】
そこで本発明は、衝撃で遊技球の動きに変化が起こらず、不正行為を止めさせるように仕向けることができるうえ、衝撃による遊技機の故障や破損を軽減し、遊技機周辺で起きた衝撃による遊技への影響をのない弾球遊技機を提供することを課題としてなされたものである。
【課題を解決するための手段】
【０００８】
本発明は、遊技盤上に発射された遊技球が、入賞装置に設けられた特定入球口へ入球すると遊技者にとって有利な特別遊技へ移行する弾球遊技機において、遊技機を構成する部品類のうち、上記特定入球口へ至る遊技球の動きに影響を及ぼす所定の構成部品と、該構成部品を支持せしめる支持部材とを、防振部材を用いて結合せしめる（請求項１）。遊技機に衝撃が作用しても、支持部材と構成部材との間で防振部材により衝撃が吸収軽減され、構成部品側に衝撃が作用せず、機構部材側の遊技球の動きに影響しない。従って、遊技機に衝撃を与えて大当りを当てようとする不正行為を無効にできる。また、不正行為が無効であれば遊技者は不正行為をしなくなるので、不正行為を未然に防ぐことができる。衝撃による遊技機の故障や破損および遊技への悪影響を軽減できる。尚、ここでいう入賞装置とは入賞装置内に複数の入球領域を備えた構成のものを指す。
【０００９】
上記入賞装置は上記遊技盤の盤面に設置され、上記構成部品たる上記入賞装置と、上記支持部材たる上記遊技盤とを上記防振部材を用いて結合する（請求項２）。遊技球が入賞装置へ入球したときに頻繁に不正行為が行われるが、入賞装置を防振構造にしたので、入賞装置内の遊技球は不正行為の影響を受けず、不正行為を無効にできる。
【００１０】
請求項１に記載の弾球遊技機において、上記入賞装置は外周を囲むケース部材の内部に、上記特定入球口と、該特定入球口へ遊技球を導く振分け部材とを備えた内部機構が設置され、上記構成部品たる上記内部機構と、上記支持部材たる上記ケース部材とを上記防振部材を用いて結合する（請求項３）。内部機構を防振構造にでき、内部機構の振分け部材で導かれる遊技球は不正行為の影響を受けず、不正行為を無効にできる。また、入賞装置の遊技盤への組付けは一般的な結合構造ですみ、一般的な遊技機の改良が容易にできる。
【００１１】
また近時、入賞装置等には演出用の可動装置を設置して入賞装置自体を動かして遊技の演出効果を高めるようにすることが行われるが、演出用可動装置が稼動して入賞装置に振動が発生しても、内部機構が振動の影響を受けないようできる。
【００１２】
請求項１に記載の弾球遊技機において、上記遊技盤は遊技機枠部材に組付けられ、上記構成部品たる上記遊技盤と、上記支持部材たる上記遊技機枠部材とを上記防振部材を用いて結合する（請求項４）。遊技盤全体を防振構造にでき、遊技盤に衝撃による遊技球の動きに影響を受けやすい構成部材を多数設置した場合に好適である。
【発明の効果】
【００１３】
本発明の弾球遊技機によれば、衝撃で遊技球の動きに変化が起こらず、遊技機に衝撃を与えるといった不正行為を無効にでき、不正行為を止めさせるようにできる。また、衝撃による遊技機の故障や破損を軽減でき、遊技機周辺でおきた衝撃による遊技への影響をなくすことができる。
【発明を実施するための最良の形態】
【００１４】
本発明の第１の実施形態を図１ないし図７に基づいて説明する。図１に示すように、遊技機は長方形の外枠１１１と前面枠１１２とを有し、前面枠１１２は、左端上下のヒンジ１１６により外枠１１１に対し水平方向に回動自在に取り付けられており、前面枠１１２と一体化している各部をメンテナンス時等に手前側に開き出すことが可能である。遊技機は、通常複数列レイアウトされる遊技機設置島に外枠１１１にて取り付けられ、プリペードカードユニットと交互に配置される。
【００１５】
前面枠１１２の内側には、前面枠１１２の高さ方向の上側略２／３の大きさをカバーする金枠１１３が取り付けられ、金枠１１３の左側を支軸にして金枠１１３の内周を縁取るガラス枠１１４が開閉可能に蝶着される。ガラス枠１１４にはガラス板１１５が二重に装填されている。ガラス板１１５の奥側で前面枠１１２の内側には遊技盤２１が収納され、ガラス板１１５を挟んで遊技者と対向するようになっている。
【００１６】
前面枠１１２の内側にはまた、金枠１１３の下方にバスタブ状の上皿１２１と下皿１２４とが手前側に突出して設けられている。上皿１２１の本体部にはエボナイド等の汚れのつきにくいものが用いられる。上皿１２１の側面には賞球の払出し用等の排出口１２２が開口している。
【００１７】
上皿１２１は左右に手前に膨出する膨出部を有し、左側の膨出部の頂部には、上記プリペードカードユニットに挿入されたプリペードカードの残高を表示する残高表示部１３３、遊技球の貸し出しを受ける場合に押下する球貸し釦１３１および精算する場合の精算釦１３２が設けられている。
【００１８】
下皿１２４は側面に溢れ球排出口１２５が開口しており、上皿１２１満杯時の溢れ球が流入するとともに発射し損ねた戻り球の出口となっている。また、遊技者が上皿球抜きレバー１２３を操作することにより溢れ球排出口１２５を介して上皿１２１と連通するようになっており、上皿１２１の遊技球を下皿１２４に移動することが可能である。また、下皿１２４が遊技球で満杯となった時には、下皿球抜きレバー１２６の操作により下皿１２４の底面が開口して下皿１２４の下方に排出可能であり、遊技球を別箱に移すことができる。
【００１９】
下皿１２４の右側には発射ハンドル１４１が設けられている。発射ハンドル１４１は、手前側に突出して取り付けられたグリップ部１４２の外周にリング状の回動リング１４３を同軸に設けてなり、遊技者が回動リング１４３を時計方向に回動すれば、上皿１２１から供給される遊技球を遊技盤２１の盤面上に発射することができる。
【００２０】
図２は本遊技機の遊技盤２１を示す。本遊技機は、遊技盤２１上に、複数の作動口２４，２５と、これらの作動口２４，２５へ遊技球が入球すると開閉する羽型の役物３０を有する入賞装置３とを備え、役物３０の開放時にのみ遊技球が入賞装置３内へ入球可能であり、かつ入賞装置３内の特定入球口（Ｖ入賞口）に遊技球が入球すると、大当りとなって役物３０を一定期間連続的に開閉して遊技者にとって極めて有利な特別遊技を実行するようにしたものである。
【００２１】
図２に示すように、遊技盤２１の盤面上には、盤面上を略円形に縁取るように盤面に対して垂直に帯状のレール２２，２３が設けてある。レール２２，２３は図中左側の一部が二重になっており、発射ハンドル１４１の操作で遊技球が外側レール２３に沿って発射され、レール２２，２３で囲まれた盤面の略円形領域内に入る。この略円形領域の中央には入賞装置３が設けられ、その周囲に種々の作動口２４，２５、一般入賞口２６、多数の遊技釘、風車等が設けられ、上記略円形領域の下端にはアウト口２７が形成されている。
【００２２】
入賞装置３の下方に設けられた各作動口２４は、入球毎に入賞装置３の役物３０を一回開閉させるもので、作動口２５は入球毎に二回、役物３０を開閉させるものである。
【００２３】
図２ないし図６に示すように、入賞装置３は、上部の左右両側に開閉可能な一対の羽型の役物３０が設けられ、ソレノイド３００の駆動による両役物３０の開放時にのみ装置内へ遊技球が入球可能である。装置内へ入球した遊技球は、一旦、上段の棚部で受けられ、該上段の棚部の中央の入口３１より左右両側縁に形成された球通路３２を通り、通路下端の通路出口３３より装置下端のステージ３４へ送られる（図３（Ａ）（Ｂ））。
【００２４】
入賞装置３内の上下中間位置には、中央に特定入球口たるＶ入賞口３５が設けられ、該Ｖ入賞口３５の左右両側に一般入賞口３５１が設けられている。これらの入賞口３５，３５１へ遊技球が入球すると賞球が払いだされる。尚、遊技球が入口３１に入球した時点で賞球を払いだすようにしてもよく、この場合、一般入賞口３５１は単に遊技球の取込口であり、またＶ入賞口３５に入球しても賞球は発生しない。各入賞口３５，３５１と上記ステージ３４との間には、各入賞口３５，３５１へ遊技球を振り分ける円筒状の回転体３６が横設されている。回転体３６は電動モーター３６０により中心軸を中心に周方向、かつステージ３４から入賞口３５，３５１側へ向けて回転している。回転体３６の外周部には複数の磁石３６１が付設されている。回転体３６は、ステージ３４上の遊技球を磁石３６１で吸着するとともに、上記回転により吸着した遊技球をＶ入賞口３５または一般入賞口３５１へ送る。
【００２５】
ステージ３４の遊技球が回転体３６の中央の磁石３６１に吸着されて上方へ運ばれ、Ｖ入賞口３５へ入球すると大当りとなって上記特別遊技へ移行する（図３（Ｃ）（Ｄ））。回転体３６の左右両側の磁石３６１に吸着された遊技球は一般入賞口３５１へ入球する（図３（Ｅ））。ステージ３４には、回転体３６の磁石３６１にうまく吸着されない遊技球を回収する回収口３４１が設けてある。回収口３４１は通常、蓋材３４２で閉じてあり、役物３０の作動後に所定の時間が経過すると、ソレノイド３４３の駆動により蓋材３４２が開放作動し、回収口３４１が開いて遊技球を回収するようにしている。
【００２６】
入賞装置３は、回転体３６が磁石３６１により遊技球を吸着して運搬するので、遊技者の不正行為等による衝撃の影響を受けやすい。そこで、入賞装置３の遊技盤２１への取付け構造は防振構造としてある。図４ないし図８に示すように、入賞装置３は、遊技盤２１の表面側よりその中央に形成された開口部へ挿入し、入賞装置３の表面外周に形成した周縁フランジの上端部３７ａ、下端部３７ｂおよび左右両端部３７ｃをそれぞれ防振部材４ａ，４ｂを介して遊技盤２１の開口縁に結合してある。
【００２７】
図５、図６に示すように、入賞装置３の周縁フランジの上端部３７ａは、該上端部３７ａ、その背面に設けた第１の防振部材４ａ、遊技盤２１の開口上縁の取付フランジ２１１およびその背面側に設けた第２の防振部材４ａを一連に貫通するカシメピン４０により締結してある。図６に示すように、入賞装置３の上端部３７ａにはカシメピン４０を貫通せしめる貫通穴３７１が設けてある。第１の防振部材４ａは、カシメピン４０を挿通せしめる軟質のゴム材からなる内筒部４１と、これと同軸に外周面を形成する硬質の合成樹脂の外筒部４２とからなる２重の筒形構造をなす。防振部材４ａの基端には、硬質の合成樹脂板からなる円形の底板４３を設けて、内筒部４１および外筒部４２の端末の間隔が塞いである。底板４３の中央には内筒部４１内へ連通する開口が設けてある。防振部材４ａの先端側は、内筒部４１と一体成形された軟質のゴム材からなり、外筒部４２よりも突出する内筒部４１の先端末と外筒部４２の先端末とを繋いで両筒部４１，４２の間隔を塞ぐ略半球面状のクッション面４４が設けてある。また、内筒部４１および外筒部４２との間には、粘性流体のグリス等からなる充填材４５が充填してある。そして第１の防振部材４ａはその底板４３を上端部３７ａの背面に重ね合わせ、クッション面４４を取付フランジ２１１側に向けて配置し、内筒部４１と上端部３７ａの貫通穴３７１とを連通せしめている。
【００２８】
遊技盤２１の取付フランジ２１１には、入賞装置３の上端部３７ａの貫通穴３７１、防振部材４ａの内筒部４１と一連に連通する貫通穴２１２が形成してある。第２の防振部材４ａは第１の防振部材４ａと同一構造部材で、先端のクッション面４４を取付フランジ２１１の背面側に向けて配置してある。
【００２９】
カシメピン４０は、入賞装置３の表面側から上端部３７ａの貫通穴３７１、第１の防振部材４ａの内筒部４１、遊技盤２１の取付フランジ２１１の貫通穴２１２および第２の防振部材４ａの内筒部４１に貫通せしめ、大径状のピン頭部を入賞装置３の表面に当接せしめるとともに、第１の防振部材４ａのクッション面４４の先端および第２の防振部材４ａのクッション面４４の先端を取付フランジ２１１の表裏両面に当接せしめた状態で、第２の防振部材４ａの背面側に突出するピン先端を大径にカシメ加工してある。
【００３０】
入賞装置３の周縁フランジの下端部３７ｂは、上端部３７ａと同様に、第１および第２の防振部材４ａを用いて遊技盤２１の開口下縁の取付フランジ２１１にカシメピン４０により結合してある。
【００３１】
図７および図８に示すように、入賞装置３の周縁フランジの左右両端部３７ｃにはそれぞれ、背面側に防振部材４ｂが固着してある。防振部材４ｂは、外周面をなす硬質合成樹脂からなる外筒部４２の基端を、硬質合成樹脂板からなる円形の底板４３で閉じるとともに、外筒部４２の先端側を軟質のゴム材からなるほぼ半球面状のクッション面４４で塞いだ構造で、防振部材４ｂの先端には、クッション面４４の中央に、クッション面４４を円筒状に凹ませて後述の嵌合ピン４７を圧入可能な嵌合穴４６が形成してある。嵌合穴４６の底端は閉じてある。そして防振部材４ｂの内部には粘性流体のグリス等からなる充填材４５が充填してある。
【００３２】
防振部材４ｂは、入賞装置３の左右両端部３７ｃの背面に底板４３を重ね合わせて固着してある。これに対応して遊技盤２１の中央開口部の左右側縁の取付フランジ２１３にはそれぞれ、表面側へ向かって突出する嵌合ピン４７が突設してある。入賞装置３の左右両端部３７ｃと遊技盤２１の取付フランジ２１３とは、遊技盤２１の表面側より組付ける入賞装置３の左右両側の防振部材４ｂの嵌合穴４６に嵌合ピン４７を圧入して結合してある。
【００３３】
本実施形態の弾球遊技機によれば、遊技者が遊技機を叩く等の不正行為の衝撃により遊技盤２１がその表裏方向に振動するが、入賞装置３の上端部３７ａおよび下端部３７ｂと遊技盤２１との結合部において、第１および第２の防振部材４ａの両クッション面４４が、上記遊技盤２１の振動に対して、カシメピン４０の軸方向に相対的に伸縮変形して上記振動を吸収する。また、入賞装置３の左右両端部３７ｃと遊技盤２１との結合部において、左右両側の防振部材４ｂの各クッション面４４が、上記遊技盤２１の振動に対して、嵌合ピン４７の軸方向に伸縮変形して上記振動を吸収する。従って、入賞装置３には遊技盤２１の振動の影響がなく、入賞装置３内の遊技球の動きが変化せず、不正行為を無効にできる。また、遊技者は不正行為をしても遊技球の動きに影響がないので、無意味な不正行為をしなくなり、不正行為を未然に防ぐ効果が得られる。更に、周辺の遊技機での不正行為やガラス枠の開閉により発生した衝撃の影響も受けない。
【００３４】
次に、図９に基づいて本発明の第２の実施形態を説明する。本実施形態は、入賞装置の内部機構のみを防振構造としたもので、図９は図５に対応する本実施形態の入賞装置３Ａの縦断面図を示す。尚、入賞装置３Ａの基本構造は第１の実施形態のそれとほぼ同一で、図において同一部材を同一符号で表し、それらの説明を省略する。入賞装置３Ａは、ステージ３４、回収口３４１、これを開閉する蓋部材３４２、蓋部材３４２の駆動用のソレノイド３４３と、回転体３６、回転体３６の駆動モーター、およびＶ入賞口３５、Ｖ入賞口３５と並設する一般入賞口３５１等を一体に内部ケース３８０内に組付けた内部機構３８を構成し、内部機構３８の内部ケース３８０を複数の防振部材４ｂを用いて入賞装置３Ａの外周部を囲む本体ケース３９内に結合してある。
【００３５】
本体ケース３９の天井面３９１および底面３９２にはそれぞれ、複数の防振部材４ｂが設けてある。各防振部材４ｂは第１の実施形態に用いた防振部材と同一構造で、底板４３を天井面３９１および底面３９２に重ね合わせ、クッション面４４をケース内へ向けて固着してある。一方、内部機構３８の内部ケース３８０の上面には、本体ケース３９の天井面３９１の各防振部材４ｂと対向する位置にそれぞれ上方へ突出する嵌合ピン４７が設けてある。また、内部ケース３８０の下面には、本体ケース３９の底面３９２の各防振部材４ｂと対向する位置にそれぞれ下方へ突出する嵌合ピン４７が設けてある。
【００３６】
内部機構３８は、本体ケース３９内に配し、内部ケース３８０の上面および下面の各嵌合ピン４７をそれぞれ、本体ケース３９内の天井面３９１および底面３９２の各防振部材４ｂの嵌合穴４７に圧入して結合してある。尚、本体ケース３９は上半部と下半部とからなる上下２分割構造としてあり、本体ケース３９に内部機構３８を組付ける際、予めケース下半部側に内部機構３８をセットしておき、その後にケース上半部を下半部側に組付ける。
【００３７】
このように構成した入賞装置３Ａの遊技盤２１への組付け構造は、従来の弾球遊技機と同様、入賞装置３Ａを遊技盤２１の表面側よりその開口部へ挿入し、入賞装置３Ａの周縁フランジを遊技盤２１の上記開口部周辺の表面に重ね合わせ。上記周縁フランジの上端部３７ａ、下端部３７ｂおよい左右両側端部をそれぞれネジ部材Ｎにより遊技盤２１に締結してある。
【００３８】
本実施形態によれば、衝撃により遊技盤２１がその表裏方向に振動すると、入賞装置３Ａの本体ケース３９も表裏方向に振動するが、防振部材４ｂを用いた、内部機構３８と本体ケース３９との各結合部において、各防振部材４ｂの嵌合ピン４７を支える嵌合穴４６まわりのクッション面４４が、上記本体ケース３９の振動に対して変形しつつ振動を吸収する。従って、内部機構３８には本体ケース３９の振動の影響がなく、内部機構３８内の遊技球の動きが変化せず、第１の実施形態と同様な作用効果が得られる。また、入賞装置３Ａの遊技盤２１への組付けは、従来構造と同様にでき、遊技盤２１の構造を変えずにすむ。
【００３９】
図１０および図１１に基づいて、他の防振部材４ｃにより、入賞装置３Ｂの本体ケース３９と内部機構３８の内部ケース３８０とを結合した第３の実施形態を説明する。防振部材４ｃはゴム材からなる略円筒形の防振本体４８と、硬質の合成樹脂ピンまたは金属ピンからなるストッパ４９とで構成してある。防振本体４８は、基端側の周面が外側に向けて半球面状に膨出する大径に形成してあり、基端の端末には開口部か形成してある。これに対して、先端側は小径に形成してあり、先端の端末は閉じてある。また先端面には上記ストッパ４９を挿入する貫通穴が形成してある。
【００４０】
防振部材４ｃは、防振本体４８の基端の開口部を本体ケース３９の内面側に突設した円形の突起３９５に嵌合するとともに、防振本体４８の先端を内部ケース３８０に形成した貫通穴３８１に嵌入し、ストッパ４９を防振本体４８の先端側から先端面の貫通穴を貫通せしめてストッパ先端を上記突起３９５の中心の嵌合穴に圧入して本体ケース３９と内部ケース３８０とを結合する。尚、ストッパ４９の大径頭部は内部ケース３８０から若干離してある。
【００４１】
防振部材４ｃは、本体ケース３９側の振動に対して、防振本体４８の基端側の膨出部が変形してこれを吸収する。大きな振動に対してストッパ４９が防振本体４８の変形量を規制するので、本体ケース３９と内部ケース３８０との結合部が外れない。
【００４２】
尚、防振部材４ｃは比較的に防振本体４８の軸方向に沿う振動の吸収性能が高いので、防振部材４ｃを用いて本体ケース３９と内部ケース３８０とを結合する本実施形態では、本体ケース３９の天井面３９１と内部ケース３８０の上面、本体ケース３９の底面３９２と内部ケース３８０の下面、および本体ケース３９の奥面３９３と内部ケース３８０の背面とを複数の防振部材４ｃで結合することが望ましい。本実施形態によれば第２の実施形態と同様な作用効果が得られる。
【００４３】
また、防振部材４ｃは、内部ケース３８０の内側にストッパ４９の取付スペースが必要であり、該取付スペースを確保できない部分は第２の実施形態と同様の防振部材４ｂを用いることが望ましい。
【００４４】
図１２は本発明の第４の実施形態を示す。第２および第３の実施形態において、入賞装置の内部機構を入賞装置の本体ケースに対して防振構造とすることで、本体ケースの振動に対して内部機構の遊技球の動きが変化しないようにできることから、本実施形態では、入賞装置３Ｃの本体ケース３９に演出用の可動装置５０を組付け、可動装置５０により本体ケース３９を振動させる遊技演出を行うようにしたものである。
【００４５】
入賞装置３Ｃには本体ケース３９の表面上部に演出用の可動装置５０が組付けてあり、可動装置５０に通電してこれを振動させることにより、本体ケース３９全体を振動させるようにしてある。内部機構３８は、第３の実施形態と同様に複数の防振部材４ｂ，４ｃを用いて内部ケース３８０を本体ケース３９の内面に結合してある。更に、入賞装置３Ｃは、第１の実施形態と同様に、複数の防振部材４ａ，４ｂを用いて遊技盤２１に組付けてある。
【００４６】
これによれば、内部機構３８の遊技球の動きに影響せずに入賞装置３Ｃの本体ケース３９を振動させる演出ができる。また、上記不正行為等の衝撃に対して、第１、第２および第３の実施形態と同様な作用効果が得られるうえ、遊技盤２１に対して入賞装置３Ｃを防振構造とするとともに、入賞装置３Ｃの本体ケース３９に対して内部機構３８を防振構造としたのでより確実に衝撃による遊技球の動きの変化を防ぐことができる。
【００４７】
図１３ないし図１７に基づいて本発明の第５の実施形態を説明する。本実施形態は遊技盤を複数の防振部材を用いて遊技機本体の枠部材へ組付け、遊技盤全体を防振構造としたものである。図１３、図１４に示すように、遊技盤２１Ａは、遊技機本体の内枠１５の背面側にセットされ、内枠１５とその背面に組付けられた遊技盤取付枠１６とで表裏方向に挟み付けるように組付けられている。尚、図１３において、１１１は外枠、１４１は内枠１５下端部に設置された発射ハンドル、１５５は内枠１５の背面下端部に設置された賞球制御基盤を示す。また、遊技機本体の背面には機構盤１７が設けてあり、機構盤１７には球タンク１７１、タンクレール１７２、画像制御基盤１７３および主制御基盤１７４が組付けてある。
【００４８】
図１５に示すように、遊技盤２１Ａには、表面および背面の四隅の隅角付近にそれぞれ防振部材４ｂが設けてある。防振部材４ｂは第１の実施形態に用いたものと同一構造である。遊技盤２１Ａの表面側の各防振部材４ｂはそれぞれ、底板４３を遊技盤２１Ａの表面に重合固着して、クッション面４４を前方に向けて取付けてある。背面側の各防振部材４ｂはそれぞれ、底板４３を遊技盤２１Ａの背面に重合固着して、クッション面４４を後方に向けて取付けてある。
【００４９】
図１６（Ａ）に示すように、内枠１５は遊技盤２１Ａよりもひとまわり小さい開口部１５１を備え、遊技盤２１Ａを内枠１５の背面側にセットした際に開口部１５１の開口周縁が遊技盤２１Ａの外周部と表裏方向にラップするようにしてある。内枠１５の背面には、開口部１５１の四隅のコーナー付近にそれぞれ、遊技盤２１Ａの表面の各防振部材４ｂに対応する取付け部１５２が設けてあり、各取付け部１５２には背面側へ突出する嵌合ピン４７が突設してある。
【００５０】
図１６（Ｂ）に示すように、遊技盤取付枠１６は内枠１５の開口部１５１よりもひとまわり大きく遊技盤２１Ａの外形と合致する開口部１６１を備え、開口部１６１に遊技盤２１Ａを嵌入するようにしてある。遊技盤取付枠１６は内枠１５の背面に、両者１５，１６の開口部１５１，１６１の中心位置が合致するように固着してある。遊技盤取付枠１６の背面には、開口部１６１の四隅のコーナー付近にそれぞれ、遊技盤２１Ａの背面の各防振部材４ｂに対応する取付金具１６２が設けてある。図１７に示すように、各取付金具１６２は、遊技盤取付枠１６の背面にネジ部材Ｎにより締結するベース板１６３と、ベース板１６３から開口部１６１側へ突出する突出片１６４とを備え、突出片１６４の先端には遊技盤２１Ａの背面側へ向けて突出する嵌合ピン４７が突設してある。
【００５１】
遊技盤２１Ａを遊技機本体へ取付ける場合、遊技盤２１Ａを内枠１５の背面にセットする前に、予め遊技盤取付枠１６の取付金具１６２を外しておく。遊技盤２１Ａは、内枠１５および遊技盤取付枠１６の背面側より遊技盤取付枠１６開口部１６１へ嵌入し、遊技盤２１Ａの表面外周部を内枠１５の開口部１５１の開口周縁にラップさせ、遊技盤２１Ａの表面側の各防振部材４ｂの嵌合穴４６に内枠１５の背面の各嵌合ピン４７を圧入する。そして、遊技盤２１Ａの背面側より、各取付金具１６２の嵌合ピン４７を遊技盤２１Ａの表面側の各防振部材４ｂの嵌合穴４６に圧入して、各取付金具１６２を遊技盤取付枠１６の背面に締結する。
【００５２】
本実施形態によれば、遊技盤２１Ａ全体を遊技機本体に対して防振構造としたので、遊技機本体に衝撃が作用しても、遊技盤２１Ａは衝撃の影響を受けず、遊技盤２１Ａ上の遊技球の動きが変化しないので、第１の実施形態の作用効果と同様、不正行為を無効にでき、かつ不正行為を未然に防ぐ効果が得られる。更に、周辺の遊技機での不正行為やガラス枠の開閉により発生した衝撃の影響も受けない。また、遊技盤２１Ａ全体を防振構造としたので、遊技盤２１Ａ上に防振構造とする必要がある多数の入賞装置等を設置する場合には、各入賞装置等を個別に防振しなくてすみ、構造簡素かつ低コストですむ。
【００５３】
上記遊技盤２１Ａの防振部材４ｂと遊技盤取付枠１６との結合に用いる他の取付金具として、図１８に示すように、遊技盤取付枠１６に締結したベース板１６３に対して嵌合ピン４７を有する突出片１６４を表裏方向に回動可能に設けた取付金具１６２Ａを用いるようにしてもよく、これによれば、遊技盤２１Ａの組付け作業が良好にできる。
【図面の簡単な説明】
【００５４】
【図１】本発明を適用した弾球遊技機の斜視図である。
【図２】上記弾球遊技機の遊技盤の概略正面図である。
【図３】上記遊技盤に組付けられた入賞装置の作動を示す概略説明図である。
【図４】上記入賞装置の正面図である。
【図５】本発明の第１の実施形態の上記入賞装置の防振部材を用いた組付け構造を示すもので、図４のＶ−Ｖ線に沿う縦断面図である。
【図６】図５の防振部材を用いた組付け構造の要部断面を示す分解図である。
【図７】上記第１の実施形態の上記入賞装置の防振部材を用いた組付け構造の図４のVII −VII 線に沿う横断面図である。
【図８】図７の防振部材を用いた組付け構造の要部断面を示す分解図である。
【図９】本発明の第２の実施形態の上記入賞装置の防振部材を用いた組付け構造を示すもので、図５に対応する縦断面図である。
【図１０】本発明の第３の実施形態の上記入賞装置の防振部材を用いた組付け構造を示すもので、図９に対応する縦断面図である。
【図１１】図１０の防振部材を用いた組付け構造を示す要部断面図である。
【図１２】本発明の第４の実施形態の上記入賞装置の防振部材を用いた組付け構造を示すもので、図１０に対応する縦断面図である。
【図１３】本発明の第５の実施形態の遊技盤の防振部材を用いた組付け構造を示すもので、図１４のXIII−XIII線に沿う縦断面図である。
【図１４】上記遊技盤の組付け構造を示す背面図である。
【図１５】図１５（Ａ）は上記遊技盤の表面側の斜視図、図１５（Ｂ）は背面側の斜視図である。
【図１６】図１６（Ａ）（Ｂ）は上記遊技盤を組付ける内枠および遊技盤取付枠の背面図である。
【図１７】上記遊技盤の組付け構造に用いる取付金具および該取付金具による組付け構造を示す説明図である。
【図１８】上記遊技盤の組付け構造に用いる他の組付金具および該他の取付金具による組付け構造を示す説明図である。
【符号の説明】
【００５５】
１５  遊技機の内枠（遊技機枠部材）
１６  遊技盤取付枠（遊技機枠部材）
２１，２１Ａ  遊技盤
３，３Ａ，３Ｂ，３Ｃ  入賞装置
３５  Ｖ入賞口（特定入球口）
３６  回転体（振分け部材）
３８  内部機構
３９  本体ケース（ケース部材）
４ａ，４ｂ，４ｃ  防振部材
【図１】
2006000378.tif 000003
【図２】
2006000378.tif 000004
【図３】
2006000378.tif 000005
【図４】
2006000378.tif 000006
【図５】
2006000378.tif 000007
【図６】
2006000378.tif 000008
【図７】
2006000378.tif 000009
【図８】
2006000378.tif 000010
【図９】
2006000378.tif 000011
【図１０】
2006000378.tif 000012
【図１１】
2006000378.tif 000013
【図１２】
2006000378.tif 000014
【図１３】
2006000378.tif 000015
【図１４】
2006000378.tif 000016
【図１５】
2006000378.tif 000017
【図１６】
2006000378.tif 000018
【図１７】
2006000378.tif 000019
【図１８】
2006000378.tif 000020